(57)【要約】【課題】簡単な操作を行うのみで、必要な情報を容易に取得することができる情報提供システムを提供する。【解決手段】自動改札機を通過する機能を備えた移動端末に対して情報提供を行うために、自動改札機は、移動端末が入場改札口通過を検出した場合に、該移動端末に対して、提供可能な情報の項目名を送信する手段と、移動端末が退場改札口通過を検出した場合に、移動端末において予め選択された項目名を受信し、該項目名の情報を取得するためのＵＲＬ情報を移動端末に対して送信する手段とを備え、移動端末は、自動改札機から送信される項目名を受信する手段と、項目名の中から情報提供を受ける情報の項目名を選択する手段と、選択された項目名を自動改札機へ送信し、該項目名の情報提供を受けるためのＵＲＬ情報を自動改札から受信する手段と、ＵＲＬ情報に基づいて、情報提供サーバに接続し、情報提供を受ける情報をダウンロードする手段とを備えた。【選択図】図１
2007323124.tif 000002
【特許請求の範囲】
【請求項１】
自動改札機を通過する機能を備えた移動端末に対して情報提供を行う情報提供システムであって、
前記自動改札機は、
前記移動端末が入場改札口を通過したことを検出した場合に、該移動端末に対して、提供可能な情報の項目名を送信する情報項目送信手段と、
前記移動端末が退場改札口を通過したことを検出した場合に、前記移動端末において予め選択された項目名を受信し、該項目名の情報を取得するためのＵＲＬ情報を前記移動端末に対して送信するＵＲＬ情報送信手段とを備え、
前記移動端末は、
前記自動改札機から送信される前記項目名を受信する情報項目受信手段と、
前記項目名の中から情報提供を受ける情報の項目名を選択する選択手段と、
前記選択された項目名を前記自動改札機へ送信し、該項目名の情報提供を受けるためのＵＲＬ情報を前記自動改札機から受信するＵＲＬ情報受信手段と、
前記ＵＲＬ情報に基づいて、情報提供サーバに接続し、情報提供を受ける情報をダウンロードする情報取得手段とを備え
たことを特徴とする情報提供システム。
【請求項２】
前記ＵＲＬ情報送信手段は、前記入場改札口を特定し、特定した入場改札口と前記退場改札口の場所に関係する情報を提供するためのＵＲＬ情報を前記移動端末に対して送信することを特徴とする請求項１に記載の情報提供システム。
【請求項３】
前記自動改札機と前記移動端末との間において行う情報通信は、近距離通信手段により情報の送受信を行うことを特徴とする請求項１または２に記載の情報提供システム。
【請求項４】
前記移動端末に対して提供する情報は、場所や状況に応じて提供可能な情報を変化させることを特徴とする請求項２に記載の情報提供システム。
【請求項５】
自動改札機を通過する機能を備えた移動端末に対して情報提供を行う情報提供システムにおける情報提供方法であって、
前記自動改札機が、前記移動端末が入場改札口を通過したことを検出した場合に、該移動端末に対して、提供可能な情報の項目名を送信する情報項目送信ステップと、
前記移動端末が、前記自動改札機から送信される前記項目名を受信して、前記項目名の中から情報提供を受ける情報の項目名を選択する選択ステップと、
前記自動改札機が、前記移動端末が退場改札口を通過したことを検出した場合に、前記移動端末において選択された前記項目名を前記移動端末から受信し、該項目名の情報を取得するためのＵＲＬ情報を前記移動端末に対して送信するＵＲＬ情報送信ステップと、
前記移動端末が、前記項目名の情報提供を受けるためのＵＲＬ情報を前記自動改札機から受信するＵＲＬ情報受信ステップと、
前記移動端末が、前記ＵＲＬ情報に基づいて、情報提供サーバに接続し、情報提供を受ける情報をダウンロードする情報取得ステップと
を有することを特徴とする情報提供方法。
【発明の詳細な説明】
【技術分野】
【０００１】
本発明は、情報提供を受ける場合の操作を容易にすることができる情報提供システム及び情報提供方法に関する。
【背景技術】
【０００２】
従来から、携帯端末（移動端末）を利用して、ユーザに対する情報提供サービスにおいて、ユーザが予め携帯端末に趣味やプロフィールを登録しておき、情報提供側がこの登録内容に基づいて提供するべき情報を選択して情報提供する情報提供装置が知られている（例えば、特許文献１参照）。
これは、施設や店舗などから提供される多数の情報の中から消費者各個人の要求にマッチした情報を選択して取得し、さらに情報提供者が多数の消費者の中から提供情報にマッチした要求を持つ消費者個人を選択して情報提供すると同時に消費者個人のマーケティングデータを取得することを可能にして、且つ消費者個人の情報取得のコストおよび情報提供者のマーケティングデータ収集コストを低減することができるものである。
【特許文献１】特開２００３−２４２０７６号公報
【発明の開示】
【発明が解決しようとする課題】
【０００３】
ところで、ユーザが携帯端末で欲しい情報を入手するには、たくさんのサイトにアクセスして入手する必要があり、多大な手間と多くの通信量が必要になるという問題がある。
また、特許文献１に記載されている情報提供装置のように、情報提供側がユーザの事前登録等の情報に基づいて提供するべき情報を選択して提供する方法があるが、ユーザが外出先において必要とする情報まで識別することはできないため、情報提供側が提供するべき情報を容易に選択することは困難であるという問題もある。
【０００４】
本発明は、このような事情に鑑みてなされたもので、簡単な操作を行うのみで、そのときに必要となる情報を容易に取得することができる情報提供システム及び情報提供方法を提供することを目的とする。
【課題を解決するための手段】
【０００５】
本発明は、自動改札機を通過する機能を備えた移動端末に対して情報提供を行う情報提供システムであって、前記自動改札機は、前記移動端末が入場改札口を通過したことを検出した場合に、該移動端末に対して、提供可能な情報の項目名を送信する情報項目送信手段と、前記移動端末が退場改札口を通過したことを検出した場合に、前記移動端末において予め選択された項目名を受信し、該項目名の情報を取得するためのＵＲＬ情報を前記移動端末に対して送信するＵＲＬ情報送信手段とを備え、前記移動端末は、前記自動改札機から送信される前記項目名を受信する情報項目受信手段と、前記項目名の中から情報提供を受ける情報の項目名を選択する選択手段と、前記選択された項目名を前記自動改札機へ送信し、該項目名の情報提供を受けるためのＵＲＬ情報を前記自動改札機から受信するＵＲＬ情報受信手段と、前記ＵＲＬ情報に基づいて、情報提供サーバに接続し、情報提供を受ける情報をダウンロードする情報取得手段とを備えたことを特徴とする。
【０００６】
本発明は、前記ＵＲＬ情報送信手段は、前記入場改札口を特定し、特定した入場改札口と前記退場改札口の場所に関係する情報を提供するためのＵＲＬ情報を前記移動端末に対して送信することを特徴とする。
【０００７】
本発明は、前記自動改札機と前記移動端末との間において行う情報通信は、近距離通信手段により情報の送受信を行うことを特徴とする。
【０００８】
本発明は、前記移動端末に対して提供する情報は、場所や状況に応じて提供可能な情報を変化させることを特徴とする。
【０００９】
本発明は、自動改札機を通過する機能を備えた移動端末に対して情報提供を行う情報提供システムにおける情報提供方法であって、前記自動改札機が、前記移動端末が入場改札口を通過したことを検出した場合に、該移動端末に対して、提供可能な情報の項目名を送信する情報項目送信ステップと、前記移動端末が、前記自動改札機から送信される前記項目名を受信して、前記項目名の中から情報提供を受ける情報の項目名を選択する選択ステップと、前記自動改札機が、前記移動端末が退場改札口を通過したことを検出した場合に、前記移動端末において選択された前記項目名を前記移動端末から受信し、該項目名の情報を取得するためのＵＲＬ情報を前記移動端末に対して送信するＵＲＬ情報送信ステップと、前記移動端末が、前記項目名の情報提供を受けるためのＵＲＬ情報を前記自動改札機から受信するＵＲＬ情報受信ステップと、前記移動端末が、前記ＵＲＬ情報に基づいて、情報提供サーバに接続し、情報提供を受ける情報をダウンロードする情報取得ステップとを有することを特徴とする。
【発明の効果】
【００１０】
本発明によれば、簡単な操作を行うのみでその場所やタイミングに適した情報をユーザに対して提供することが可能になるという効果が得られる。このためユーザは、少ないアクセスで必要とする情報を容易に取得することができるという効果が得られる。また、場所や状況に応じて提供可能な情報を変化させるようにしたため、より適した情報をユーザに対して提供することができるという効果も得られる。
【発明を実施するための最良の形態】
【００１１】
以下、本発明の一実施形態による情報提供システムを図面を参照して説明する。図１は同実施形態の構成を示すブロック図である。この図において、符号１は、ユーザが所有する移動端末であり、鉄道等の交通機関の切符情報を内部に記憶しており、この移動端末１を使用して交通機関の自動改札機を通過して乗車することが可能である。符号１ａ、１ｂは、移動端末１が移動した状態を示している。符号２１は、交通機関の改札口に備えられた自動改札機であり、ここでは、入場するための改札機であるものとする。符号２２は、自動改札機２１を介して、移動端末１に対して送信する画面表示データを記憶する画面表示データ記憶部である。符号３１は、交通機関の改札口に備えられた自動改札機であり、ここでは、退場するための改札機であるものとする。符号３２は、自動改札機３１を介して、移動端末１に対して送信するＵＲＬ情報を記憶するＵＲＬ情報記憶部である。符号４１は、移動通信を行うためのネットワークであり、ここでは、移動通信ネットワークと称する。符号４２は、移動通信ネットワーク４１に接続され、移動端末１との間で無線通信回線を確立する基地局である。符号４３は、移動通信ネットワーク４１に接続され、基地局４２を介して、移動端末１に対して情報提供を行う情報提供サーバである。
【００１２】
符号１１は、移動端末１の処理動作を統括して制御する制御部である。符号１２は、ダイヤルキーやファンクションキーを配列したキーパネルで構成する入力部である。符号１３は、液晶のディスプレイで構成する表示部である。符号１４は、基地局４２との間で無線通信回線を確立して情報通信を行う無線通信部である。符号１５は、無線通信部１４を介して、音声通話を行う音声処理部である。符号１６は、話者の音声を集音するマイクである。符号１７は、通話相手の音声を発音するスピーカである。符号１８は、移動端末１を動作されるためのアプリケーションプログラムや提供された情報等を記憶するメモリである。符号１９は、非接触ＩＣであり、自動改札機２１、３１との間で交通機関を利用するための切符情報や情報提供を受けるために必要な情報の授受を行う。
【００１３】
次に、図２を参照して、図１に示す情報提供システムの動作を説明する。まず、自動改札機２１から切符情報送信要求を常に発信する。ユーザが移動端末１を自動改札機２１に近づけると、非接触ＩＣ１９は、移動改札機２１が発信した切符情報送信要求を受信する。これを受けて、非接触ＩＣ１９は、切符情報送信要求に対する応答として内部記憶されている切符情報を送信する。この切符情報は、自動改札機２１が受信する（ステップＳ１、Ｓ２）
【００１４】
次に、自動改札機２１は、受信した切符情報が正当なものであるか否かを判定し（ステップＳ３）、正当でない場合は、改札口のゲートを開かずに、処理を終了する。一方、正当な切符情報であった場合、自動改札機２１は、改札口のゲートを開き、ユーザが通過することを許可するとともに、画面表示データ記憶部２２に記憶されている画面表示データを読み出して、移動端末１へ送信する（ステップＳ４）。このとき、自動改札機２１は、入場した駅を特定するための入場駅情報も移動端末１へ送信する。これを受けて、非接触ＩＣ１９は、この画面表示データを受信し、メモリ１８へ格納し、制御部１１に対して、画面表示データの表示を指示する。これを受けて、制御部１１は、メモリ１８から画面表示データを読み出して、表示部１３へ表示する（ステップＳ５）。ここで、表示部１３に表示されるデータは、情報提供サーバ４３から移動端末１に対して、提供することが可能な情報の項目名である。この動作によって、ユーザは、改札口を通過することができるとともに、移動端末１の表示部１３に自動改札機２１から受信した画面表示データが表示されることになり、さらに、移動端末１内部にＡ駅から入場したことを示す入場駅情報が記憶されたことになる。
【００１５】
次に、ユーザは、目的駅であるＢ駅へ移動する間に、移動端末１ａの表示部１３に表示されている画面を見ながら、入力部１２を操作して必要とする情報の項目名を選択する（ステップＳ６）。図３に、表示部１３の表示例を示す。図３に示すように、例えば、提供可能な情報の項目として、終電案内、バス時刻表、コインロッカー案内、飲食案内、宿案内などが表示される。この状態で、ユーザが、「終電案内」を選択すると、終電案内にチェックマークが付与されて表示される。そして、ユーザが入力部１２を操作して選択終了を指示すると、制御部１１は、選択された項目名（ここでは、「終電案内」）をメモリ１８へ書き込む。
【００１６】
次に、ユーザが、Ｂ駅に着き、退場するための自動改札機３２に移動端末１ｂを近づけると、非接触ＩＣ１９は、移動改札機３１が発信した切符情報送信要求を受信する。これを受けて、非接触ＩＣ１９は、切符情報送信要求に対する応答として内部記憶されている切符情報と、入場駅情報とを送信する。この切符情報と、入場駅情報は、自動改札機３１が受信する（ステップＳ７、Ｓ８）
【００１７】
次に、自動改札機３１は、入場駅（Ａ駅）から退場駅（Ｂ駅）までの運賃を決済できるか否かによって正当な切符情報であるか否かを判定し（ステップＳ９）、正当でない（決済できない）場合は、改札口のゲートを開かずに、窓口で決済を行うように指示を出して処理を終了する。一方、正当な切符情報であった場合（決済ができた場合）、自動改札機３１は、改札口のゲートを開き、ユーザが通過することを許可するとともに、移動端末１ｂに対して、必要情報の項目名の送信要求を送信する。これを受けて、非接触ＩＣ１９は、メモリ１８に記憶されている必要情報の項目名を読み出して、自動改札機３１へ送信する。自動改札機３１は、この必要情報の項目名を受信する（ステップＳ１０、Ｓ１１）。なお、ユーザが必要情報の項目名を選択しなかった場合、非接触ＩＣ１９は、必要情報の項目名の送信要求に対して応答を行わない。
【００１８】
次に、自動改札機３１は、必要情報の項目名の送信要求に対して応答があった場合、受信した必要情報の項目名に対応するＵＲＬをＵＲＬ情報記憶部３２から選択して読み出す。このとき、自動改札機３１は、入場駅情報に基づいて、入場駅と退場駅（自動改札機３１自身が設置されている駅）に関する情報が提供されるＵＲＬを優先して選択する。そして、自動改札機３１は、読み出したＵＲＬ情報を移動端末１ａに対して送信する（ステップＳ１２）。これを受けて、非接触ＩＣ１９は、このＵＲＬ情報を受信し、メモリ１８へ書き込む（ステップＳ１３）。
【００１９】
次に、ユーザが入力部１２を操作して情報提供の指示を行うと、制御部１１は、無線通信部１４に対して通信回線の確立を指示する。これを受けて、無線通信部１４は、基地局４２との間で無線通信回線を確立する。そして、制御部１１は、メモリ１８からＵＲＬ情報を読み出して、このＵＲＬ情報に基づいて、情報提供サーバに接続する（ステップＳ１４）。そして、制御部１１は、情報提供サーバ４３から必要情報の項目名に該当する情報をダウンロードして、メモリ１８へ格納する（ステップＳ１５）。
【００２０】
なお、画面表示データ記憶部２２と、ＵＲＬ情報記憶部３２に記憶される情報は、情報提供サーバ４３が通信手段を使用して記憶内容を更新するようにしてもよい。このとき、情報提供４３は、当日の曜日や時刻に応じた情報となるように記憶情報を更新するようにしてもよい。このようにすることにより、ユーザが必要とする情報を簡単な操作で取得することが可能となる。
【００２１】
このように、簡単な操作を行うのみでその場所やタイミングに適した情報をユーザに対して提供することが可能になる。このためユーザは、少ないアクセスで必要とする情報を容易に取得することができる。また、場所や状況に応じて提供可能な情報を変化させるようにしたため、より適した情報をユーザに対して提供することができる。
【００２２】
なお、本発明の移動端末は、移動通信を使用した携帯電話機や移動通信機能を有した携帯情報端末（ＰＤＡ）、モバイル端末、カーナビ装置などを含むものである。
【００２３】
なお、図１における処理部の機能を実現するためのプログラムをコンピュータ読み取り可能な記録媒体に記録して、この記録媒体に記録されたプログラムをコンピュータシステムに読み込ませ、実行することにより情報提供処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２５】
【図１】本発明の一実施形態の構成を示すブロック図である。
【図２】図１に示すシステムの動作を示すフローチャートである。
【図３】図１に示す表示部１３の表示例を示す説明図である。
【符号の説明】
【００２６】
１、１ａ、１ｂ・・・移動端末、１１・・・制御部、１２・・・入力部、１３・・・表示部、１４・・・無線通信部、１５・・・音声処理部、１６・・・マイク、１７・・・スピーカ、１８・・・メモリ、１９・・・非接触ＩＣ、２１、３１・・・自動改札機、２２・・・画面表示データ記憶部、３２・・・ＵＲＬ情報記憶部、４１・・・移動通信ネットワーク、４２・・・基地局、４３・・・情報提供サーバ
【図１】
2007323124.tif 000003
【図２】
2007323124.tif 000004
【図３】
2007323124.tif 000005